(57)【特許請求の範囲】
【請求項１】
ユーザの個人情報を受け付ける手段と、前記個人情報をユーザＩＤとともに記録する手段と、前記個人情報を前記ユーザＩＤとともに提供する手段と、後記ＣＭ提供メーカ装置から提供される、ユーザ毎に選別されたＣＭを前記ユーザＩＤとともに記録する手段と、コンテンツを格納した手段と、前記ユーザＩＤを持つユーザから前記コンテンツの要求を受け付ける手段と、前記コンテンツを格納した手段に格納されているコンテンツの中の、前記ユーザから要求されたコンテンツを、ＣＭを付加することなく、前記ユーザＩＤを持つユーザに電子ネットワークで配信する手段と、前記提供されたユーザ毎に選別されたＣＭを、前記ユーザＩＤとともに、電子ネットワークに常時流す手段と、前記ユーザ毎に選別され電子ネットワークに常時流されているＣＭへの、当該ユーザからのユーザＩＤを含む電子的アクセスを受け付ける手段と、前記ＣＭへの前記ユーザＩＤを含む電子的アクセスを受け付けた場合のみ、前記コンテンツ配信局装置から配信されたコンテンツを再生する装置において当該ユーザに配信されたコンテンツを再生できるようにする手段と、前記ユーザからの、前記電子ネットワークに常時流されているユーザ毎に選別されたＣＭへの電子的アクセスの回数をかぞえる手段と、を有するコンテンツ配信局装置と、
前記コンテンツ配信局装置から提供された前記個人情報に基づいてＣＭをユーザ毎に選別し、前記コンテンツ配信局装置へユーザＩＤとともに提供するＣＭ提供メーカ装置と、
を備えた、ＣＭ提供システム。
【請求項２】
ユーザの個人情報を受け付ける手段と、
前記個人情報をユーザＩＤとともに記録する手段と、
前記個人情報をユーザＩＤとともに提供する手段と、
前記提供する手段から提供された前記個人情報に基づいてＣＭをユーザ毎に選別し、前記ユーザＩＤとともに提供するＣＭ提供メーカ装置から提供される、ユーザ毎に選別されたＣＭを前記ユーザＩＤとともに記録する手段と、
コンテンツを格納した手段と、
前記ユーザＩＤを持つユーザから前記コンテンツの要求を受け付ける手段と、
前記コンテンツを格納した手段に格納されているコンテンツの中の、前記ユーザから要求されたコンテンツを、ＣＭを付加することなく、前記ユーザＩＤを持つユーザに電子ネットワークで配信する手段と、
前記提供されたユーザ毎に選別されたＣＭを、前記ユーザＩＤとともに、電子ネットワークに常時流す手段と、
前記ユーザ毎に選別され電子ネットワークに常時流されているＣＭへの、当該ユーザからのユーザＩＤを含む電子的アクセスを受け付ける手段と、
前記ＣＭへの前記ユーザＩＤを含む電子的アクセスを受け付けた場合のみ、前記コンテンツ配信局装置から配信されたコンテンツを再生する装置において当該ユーザに配信されたコンテンツを再生できるようにする手段と、
前記ユーザからの、前記電子ネットワークに常時流されているユーザ毎に選別されたＣＭへの電子的アクセスの回数をかぞえる手段とを、備えたコンテンツ配信局装置。
【請求項３】
前記コンテンツ配信局装置は、前記アクセスしてきたＣＭの数に応じて、前記ＣＭ提供メーカ側から徴収する手数料を決め、又は、前記ユーザへ配布する記録媒体の料金を決める、請求項２記載のコンテンツ配信局装置。
【請求項４】
前記コンテンツ配信局装置は、配信可能なコンテンツのコンテンツリストを、配布する記録媒体に記録する手段を、更に有する、請求項２記載のコンテンツ配信局装置。
【発明の詳細な説明】
【０００１】
【発明の属する技術分野】
本発明は、ビジネスモデルに関し、コマーシャル（ＣＭ）の効率的な提供方法及び、デジタルテレビ放送などにおける映像コンテンツやコマーシャルデータを記録するＨＤＤ等の大容量記録媒体の供給方法、媒体及び情報集合体に関するものである。
【０００２】
【従来の技術】
デジタル放送は、高能率圧縮された複数の番組のデジタルデータを時分割多重化した状態でデジタル放送波とし、衛星放送などを介して放送するものであり、既に一部の国において実用化されており、日本においても実用化に向けて種々の技術検討が行われている。
【０００３】
上記デジタル放送においては、従来のアナログテレビ放送に比べ、はるかに多くの番組が同時に放映されるため、ユーザが視聴したいと思う番組すべてをリアルタイムで視聴することは困難になってくる。従って、蓄積装置に一時的に記録蓄積しておいて、適宜再生して視聴するという視聴方法が不可欠となることが予想される。蓄積装置として、ＨＤＤが、蓄積容量の増大に伴い、映像のデジタル記録用デバイスとして使用されつつあり、このＨＤＤは、ディスク型記録媒体であるため映像コンテンツの記録・再生を迅速に行うことができる。
【０００４】
【発明が解決しようとする課題】
しかしながら、ＨＤＤの記録容量の増加スピードが、例えば年率約１００％と非常に早いため、テレビ放送のコンテンツ蓄積装置として用いた場合、ＡＶ機器としての製品サイクルが短くなる。一方、ＨＤＤは構造上、使い捨てに出来るような価格まで下がるとは考えられないので、小容量のままで使うか容量アップの度に買い換えるかしなければならず、結果としてコスト的に割高になる。
【０００５】
また、ＨＤＤは、アクセスが早く容易なので、一般的には、映像コンテンツに付加されたコマーシャルをスキップして簡単に抜くことが可能であり、コマーシャルを提供する側からみれば、ビジネスチャンスを逃すことになる。
【０００６】
更に、現在のテレビ放送のように、すべての視聴者に対して同じコマーシャルを一律に流すことは宣伝効果が低いという課題がある。
【０００７】
本発明は、従来のこのような課題を考慮し、記録容量の増大に対応できるように、大容量記録媒体を低価格で製品サイクルに合わせて供給可能であり、また、コマーシャルを提供する側のビジネスチャンスを生かすことができるＣＭ提供システム及びコンテンツ配信局装置を提供することを目的とするものである。
【０００８】
【課題を解決するための手段】
第１の本発明は、ユーザの個人情報を受け付ける手段と、前記個人情報をユーザＩＤとともに記録する手段と、前記個人情報を前記ユーザＩＤとともに提供する手段と、後記ＣＭ提供メーカ装置から提供される、ユーザ毎に選別されたＣＭを前記ユーザＩＤとともに記録する手段と、コンテンツを格納した手段と、前記ユーザＩＤを持つユーザから前記コンテンツの要求を受け付ける手段と、前記コンテンツを格納した手段に格納されているコンテンツの中の、前記ユーザから要求されたコンテンツを、ＣＭを付加することなく、前記ユーザＩＤを持つユーザに電子ネットワークで配信する手段と、前記提供されたユーザ毎に選別されたＣＭを、前記ユーザＩＤとともに、電子ネットワークに常時流す手段と、前記ユーザ毎に選別され電子ネットワークに常時流されているＣＭへの、当該ユーザからのユーザＩＤを含む電子的アクセスを受け付ける手段と、前記ＣＭへの前記ユーザＩＤを含む電子的アクセスを受け付けた場合のみ、前記コンテンツ配信局装置から配信されたコンテンツを再生する装置において当該ユーザに配信されたコンテンツを再生できるようにする手段と、前記ユーザからの、前記電子ネットワークに常時流されているユーザ毎に選別されたＣＭへの電子的アクセスの回数をかぞえる手段と、を有するコンテンツ配信局装置と、
前記コンテンツ配信局装置から提供された前記個人情報に基づいてＣＭをユーザ毎に選別し、前記コンテンツ配信局装置へユーザＩＤとともに提供するＣＭ提供メーカ装置と、
を備えた、ＣＭ提供システムである。
第２の本発明は、ユーザの個人情報を受け付ける手段と、
前記個人情報をユーザＩＤとともに記録する手段と、
前記個人情報をユーザＩＤとともに提供する手段と、
前記提供する手段から提供された前記個人情報に基づいてＣＭをユーザ毎に選別し、前記ユーザＩＤとともに提供するＣＭ提供メーカ装置から提供される、ユーザ毎に選別されたＣＭを前記ユーザＩＤとともに記録する手段と、
コンテンツを格納した手段と、
前記ユーザＩＤを持つユーザから前記コンテンツの要求を受け付ける手段と、
前記コンテンツを格納した手段に格納されているコンテンツの中の、前記ユーザから要求されたコンテンツを、ＣＭを付加することなく、前記ユーザＩＤを持つユーザに電子ネットワークで配信する手段と、
前記提供されたユーザ毎に選別されたＣＭを、前記ユーザＩＤとともに、電子ネットワークに常時流す手段と、
前記ユーザ毎に選別され電子ネットワークに常時流されているＣＭへの、当該ユーザからのユーザＩＤを含む電子的アクセスを受け付ける手段と、
前記ＣＭへの前記ユーザＩＤを含む電子的アクセスを受け付けた場合のみ、前記コンテンツ配信局装置から配信されたコンテンツを再生する装置において当該ユーザに配信されたコンテンツを再生できるようにする手段と、
前記ユーザからの、前記電子ネットワークに常時流されているユーザ毎に選別されたＣＭへの電子的アクセスの回数をかぞえる手段とを、備えたコンテンツ配信局装置である。
第３の本発明は、前記コンテンツ配信局装置は、前記アクセスしてきたＣＭの数に応じて、前記ＣＭ提供メーカ側から徴収する手数料を決め、又は、前記ユーザへ配布する記録媒体の料金を決める、第２の本発明のコンテンツ配信局装置である。
第４の本発明は、前記コンテンツ配信局装置は、配信可能なコンテンツのコンテンツリストを、配布する記録媒体に記録する手段を、更に有する、第２の本発明のコンテンツ配信局装置である。
【００１３】
【発明の実施の形態】
以下に、本発明をその実施の形態を示す図面に基づいて説明する。
（第１の実施の形態）
図１は、本発明にかかる第１の実施の形態の大容量記録媒体供給方法におけるモデル図である。図１において、コンテンツ配信局１０２は、映像コンテンツなどをユーザ１０１に対して有料で配信するビデオレンタル店やケーブルテレビ（ＣＡＴＶ）等であり、ＣＭ提供メーカ１０３は、ユーザ１０１に販売する各種の製品などのコマーシャルを提供する企業である。ここでは複数メーカの集合体であると考えて良い。あるいはその地域の商店街やスーパーのように地域に根ざした商店を考えても良い。
【００１４】
まず、ユーザ１０１は、映像などのコンテンツを配信してもらおうと思ったコンテンツ配信局１０２に対して会員になるために入会を申し込む。この入会申し込みは、住所、氏名なども含めて年齢、性別、趣味、嗜好などのライフスタイル情報を含めた個人情報を提供するとともに入会金を支払う（１０４）。
【００１５】
そうすると、コンテンツ配信局１０２は、入会申し込みを行ったユーザ１０１に対して、大容量記録媒体であるＨＤＤをレンタルする。レンタル料金は、例えば月会費となる。このＨＤＤは、配信されたコンテンツを記録できるような認証システム、高速ネットワーク接続に対応したものである。ここでは、ＨＤＤのみをレンタルする方法としているが、再生装置などもセットでレンタルする方法としても良い。ユーザ１０１へのＨＤＤのレンタルに伴って、配信可能なコンテンツにどのようなものがあるかを知らせるためのコンテンツリストを、例えばＨＤＤに記録して配布する（１０７）。また、ＨＤＤはユーザ１０１が要求したコンテンツ以外の記録は出来ず、再生しかできない。
【００１６】
ユーザ１０１にＨＤＤをレンタルする場合に、現在市場に出ているＨＤＤより容量が少ない古いタイプのＨＤＤを安くレンタルできるようにしてもよい。また、新しい大容量のＨＤＤのレンタルを開始したときは、現在レンタル中の古いタイプのＨＤＤはレンタル料を下げるようにしても良い。
【００１７】
ユーザ１０１は、コンテンツリストを見て配信を希望するコンテンツ及び再生時期を選択し、コンテンツ配信局１０２にコンテンツを要求する（１０８）。コンテンツ配信局１０２は、ＨＤＤをレンタルするときに何本か、例えば２〜３本／月のコンテンツを無料とするようにしてもよい。
【００１８】
一方、コンテンツ配信局１０２からＣＭ提供メーカ１０３へは、ユーザ１０１の個人情報１０５が提供され、ＣＭ提供メーカ１０３では、その提供を受けたユーザ１０１の個人情報に基づいてＣＭを選別し、コンテンツ配信局１０２に提供する（１０６）。ＣＭ提供メーカ１０３におけるＣＭの選別の方法は、個人情報のみでなく、ユーザ１０１から要求のあったコンテンツの内容、ジャンルや頻度なども考慮して選別するようにしてもい。
【００１９】
コンテンツ配信局１０２では、ユーザ１０１から要求されたコンテンツにＣＭ提供メーカ１０３からのＣＭを付加してユーザに配信する（１０９）。ユーザ１０１に配信されたコンテンツはＨＤＤに記録される。このとき、ＣＭはスキップできないように必ず再生される仕組みを入れておく。また、再生期間を限定する仕組みもコンテンツに組み込んでおく。
【００２０】
次に、ユーザ１０１は、配信されてＨＤＤに記録されたコンテンツを再生する。コンテンツの再生は指定された期間ならば何度でも可能であるが、ＣＭを必ず見なければ再生できない。ユーザ１０１は又、見たＣＭによりＣＭ提供メーカ１０３に対してＣＭのより詳しい情報の問い合わせや購入などを、電話やインターネットなどにより直接やり取りすることができる（１１０）。
【００２１】
以上により、コンテンツ配信局１０２は、コンテンツに付加したＣＭ数やアクセスにきた回数に応じて、ＣＭ提供メーカ１０３からコンテンツ配信料やＣＭ提供料を徴収するとともに、ユーザ１０１からも入会金や月会費を徴収することができる。コンテンツ配信局１０２はＣＭ提供メーカ１０３から料金を徴収できるので、ユーザ１０１が支払う会費は低料金となり、低価格で容量がアップしたＨＤＤを手に入れることができる。また、ＣＭ提供メーカ１０３は、ユーザ１０１の嗜好にあったＣＭを流すことにより、宣伝費に対する売り上げを増やすことが可能になる。すなわち、ＣＭの効率がアップする。
【００２２】
なお、上記実施の形態では、ユーザを一個人として説明したが、これに限らず、ファミリー会員としてレンタルできるようにしても良い。この場合は、コンテンツを再生するときはユーザＩＤ（または会員番号など）を入力することにより、視聴者以外の家族が見るＣＭは再生しないようにして、入力したユーザＩＤの個人に対応したＣＭのみ再生するようにすればよい。
【００２３】
また、上記実施の形態では、ＨＤＤのレンタル料を月会費として月々徴収する方法をとったが、これに代えて、ユーザがコンテンツをレンタルする度にコンテンツのレンタル料金に上乗せしてＨＤＤ費用を回収するようにしてもよい。
【００２４】
また、上記実施の形態では、ＣＭをコンテンツに付加して配信したが、これに代えて、コンテンツのみユーザ側に配信し、ＣＭを常時ネットワークに流しておいて、ユーザは、そのＣＭにアクセスして再生した場合のみ、コンテンツを再生することができるようにしてもよい。その場合に、ＣＭにユーザ毎のＩＤを付加してユーザ毎に選別したＣＭをそのユーザが再生できるようにすればよい。
【００２５】
また、上記実施の形態では、ＨＤＤをレンタルとしたが、これに代えて、ＨＤＤをユーザに販売し、再生したＣＭ量に応じた割引料金分は、会費や何本かのコンテンツ配信の無料サービス、あるいは次回ＨＤＤ購入時の割り引きに当てるようにしてもよい。
（第２の実施の形態）
図２は、本発明にかかる第２の実施の形態の大容量記録媒体供給方法におけるモデル図である。図２において、ＳＴＢメーカ２０２は、デジタルテレビ放送を受信して映像データなどを再生するセットトップ・ボックス（ＳＴＢ）やそのＳＴＢの記録装置に用いるＨＤＤを販売するメーカであり、ＣＭ提供メーカ２０３は、ユーザ２０１に販売する各種の製品などのコマーシャルを提供する企業である。ここでは複数のメーカの集合体であると考えて良い。
【００２６】
まず、ユーザ２０１は、ＳＴＢメーカ２０２からオプションのＨＤＤを購入するために、住所、氏名などを含めて年齢、性別、趣味、嗜好などのライフスタイル情報を含めた個人情報を提供するとともに購入依頼する（２０４）。
【００２７】
そうすると、ＳＴＢメーカ２０２は、個人情報を提供したユーザ２０１に対してはＨＤＤを割引して販売し、ユーザ２０１はＨＤＤを安く購入する（２０６）。そして、ＨＤＤを購入したユーザ２０１の個人情報をＣＭ提供メーカ２０３へ与える（２０５）。
【００２８】
ＣＭ提供メーカ２０３は、ユーザ２０１の個人情報に基づいてＣＭを選別し、そのＣＭをＣＭ提供用の媒体を通じて流す（２０７）。
【００２９】
ＨＤＤを購入したユーザ２０１においては、ＴＶ番組を記録すると、記録途中にＣＭ提供メーカ２０３からのＣＭが強制的に記録される。このＣＭの記録は、ＴＶ放送を通じて行っても良いし、通信回線などにより別系統を通じて行うようにしても良い。ユーザ２０１がＨＤＤに記録されたＴＶ番組を再生すると、ＣＭも同時に再生され、このＣＭ再生結果がＣＭ提供メーカ２０３に知らされる（２０８）。
【００３０】
ＣＭ提供メーカ２０３は、ユーザ２０１が再生したＣＭの数に応じて、そのユーザ２０１が次回購入するＨＤＤの価格を割り引くために、その割引料金をＳＴＢメーカ２０２に支払う（２０９）。
【００３１】
ＳＴＢメーカ２０２は、ＣＭ提供メーカ２０３からもらった割引料金に応じて、そのユーザ２０１が次世代大容量ＨＤＤを購入する場合に（２１０）、ＨＤＤを安く販売する。
【００３２】
以上により、ＳＴＢメーカ２０２は、ユーザ２０１が再生したＣＭの数に応じて、ＣＭ提供メーカ２０３から割引料金をもらってユーザ２０１にＨＤＤを安くして販売する。これにより、ユーザ２０１のＨＤＤ購買意欲が高まり、ＨＤＤの売り上げにより利益を得ることができる。また、ユーザ２０１は、初回は個人情報の提供によりＨＤＤを安く購入でき、２回目以降は再生したＣＭの数に応じてＨＤＤを安く購入でき、ユーザ２０１は容量アップしたＨＤＤを低価格で買い換えできる。更に、ＣＭ提供メーカ２０３は、ユーザ２０１の嗜好にあったＣＭを流すことにより、宣伝費に対する売り上げを増やすことが可能になる。すなわち、ＣＭの効率がアップする。
（第３の実施の形態）
図３は、本発明にかかる第３の実施の形態の大容量記録媒体供給方法におけるモデル図である。図３において、ＨＤＤメーカ３０２は、ＡＶ機器の映像データ等の記録用やパソコンのデータ記録用などのＨＤＤをユーザ３０１に販売するメーカであり、製品メーカ３０３は、ユーザに販売する各種の製品などを販売する企業である。ここでは複数メーカの集合体と考えて良い。
【００３３】
まず、ユーザ３０１は、ＨＤＤメーカ３０２からＨＤＤを購入するために、住所、氏名などを含めて年齢、性別、趣味、嗜好などのライフスタイル情報を含めた個人情報を提供するとともに購入依頼する（３０４）。
【００３４】
そうすると、ＨＤＤメーカ３０２は、個人情報を提供したユーザ３０１に対してはＨＤＤを割引きして販売し、ユーザ３０１はＨＤＤを安く購入する（３０７）。そして、ＨＤＤを購入したユーザ３０１の個人情報を製品メーカ３０３へ与える（３０５）。
【００３５】
製品メーカ３０３は、ユーザ３０１の個人情報に基づいて商品データが記載された製品カタログを選別し、カタログを載せる仕組みをＨＤＤメーカ３０２に依頼する（３０６）。
【００３６】
ＨＤＤを購入したユーザ３０１においては、ＨＤＤメーカ３０２のカタログを載せる仕組みに従って、製品メーカ３０３から製品カタログが提供され（３０８）、ユーザ３０１の嗜好にあった製品の商品データがＨＤＤに記録される。この製品カタログの記録は、ＡＶ機器であればＴＶ放送や電話回線を通じて行っても良いし、パソコンであれば通信回線などを通じて行うようにしても良い。ユーザ３０１はＨＤＤに記録された商品データを検索して購入したい製品を選択し、製品メーカ３０３に注文する（３０９）。
【００３７】
製品メーカ３０３は、ユーザ３０１が注文した製品価格に応じて、そのユーザ３０１が次回購入するＨＤＤの価格を割り引きできるように、その割引料金分をＨＤＤメーカ３０２に支払う（３１０）。ＨＤＤメーカ３０２は、製品メーカ３０３からもらった割引料金に応じて、そのユーザ３０１が次世代大容量ＨＤＤを購入する場合に、ＨＤＤを安く販売する（３１１）。
【００３８】
以上により、ＨＤＤメーカ３０２は、ユーザ３０１が製品メーカ３０３に注文した製品価格に応じて、製品メーカ３０３から割引料金をもらってユーザ３０１にＨＤＤを安くして販売する。これにより、ユーザ３０１のＨＤＤ購買意欲が高まり、ＨＤＤの売り上げにより利益を得ることができる。また、ユーザ３０１は、初回は個人情報の提供によりＨＤＤを安く購入でき、２回目以降は購入した製品の価格に応じてＨＤＤを安く購入でき、ユーザ３０１は容量アップしたＨＤＤを低価格で買い換えできる。更に、製品メーカ３０３は、ユーザ３０１の嗜好にあった商品データを流すことにより、宣伝費に対する売り上げを増やすことが可能になる。すなわち、ＣＭの効率がアップする。
【００３９】
なお、上記実施の形態では、いずれも大容量記録媒体としてＨＤＤを例に説明したが、これに限らず、書き込み可能な光ディスクや光磁気記録媒体などであってもい。
【００４０】
さらに、本発明のＣＭ提供方法または大容量記録媒体供給方法の全部または一部のステップの全部または一部の動作をコンピュータにより実行させるためのプログラム及び／またはデータを担持した媒体であって、コンピュータにより処理可能なことを特徴とする媒体も本発明に属する。
【００４１】
さらに、本発明のＣＭ提供方法または大容量記録媒体供給方法の全部または一部のステップの全部または一部の動作をコンピュータにより実行させるためのプログラム及び／またはデータであることを特徴とする情報集合体も本発明に属する。
【００４２】
さらに、本発明のデータとは、データ構造、データフォーマット、データの種類などを含む。また、本発明の媒体とは、ＲＯＭ等の記録媒体、インターネット等の伝送媒体、光・電波・音波等の伝送媒体を含む。また、本発明の担持した媒体とは、例えば、プログラム及び／またはデータを記録した記録媒体、やプログラム及び／またはデータを伝送する伝送媒体等を含む。また、本発明のコンピュータにより処理可能とは、例えば、ＲＯＭなどの記録媒体の場合であれば、コンピュータにより読みとり可能であることであり、伝送媒体の場合であれば、伝送対象となるプログラム及び／またはデータが伝送の結果として、コンピュータにより取り扱えることであることを含む。また、本発明の情報集合体とは、例えば、プログラム及び／またはデータ等のソフトウエアを含むものである。
【００４３】
さらに、上記実施の形態の大容量記録媒体供給方法の全部または一部のステップの全部または一部の動作をコンピュータにより実行させるためのプログラム及び／またはデータを記録したプログラム記録媒体は、コンピュータにより読み取り可能であり、読み取られた前記プログラム及び／またはデータが前記コンピュータと協動して前記機能を実行するプログラム記録媒体であっても良い。
尚、本明細書に開示した発明は、ユーザがコンテンツ配信者にコンテンツを要求し、ＣＭ提供者がユーザの個人情報及び／又は要求されたコンテンツの内容に基づいて、ＣＭを選別してコンテンツ配信者に提供し、コンテンツ配信者は要求されたコンテンツにＣＭを付加してユーザに配信し、ユーザは、ＣＭを再生した場合のみ、コンテンツを再生することが可能となるＣＭ提供方法である。
また、本明細書に開示した別の発明は、ユーザがコンテンツ配信者にコンテンツを要求し、ＣＭ提供者がユーザの個人情報及び／又は要求されたコンテンツの内容に基づいて、ＣＭを選別し、コンテンツ配信者は要求されたコンテンツをユーザに配信し、ユーザは、選別されたＣＭにアクセスして再生した場合のみ、コンテンツを再生することが可能となるＣＭ提供方法である。
更に別の発明は、上記いずれかの発明のＣＭ提供方法において、ユーザのコンテンツの要求は、ユーザがコンテンツ配信者に入会することにより可能となるものであり、ユーザがコンテンツ配信者に入会する際、自身の個人情報を提供し、その入会によりコンテンツ配信者はユーザにコンテンツ及びＣＭの記録・再生のみに用いる大容量記録媒体をレンタルまたは販売する大容量記録媒体供給方法である。
更に別の発明は、ユーザが記録媒体供給者から大容量記録媒体を購入する際、個人情報を提供し、その提供により記録媒体供給者はユーザに大容量記録媒体を割引きして販売するとともに、ＣＭ提供者にユーザの個人情報を提供し、ＣＭ提供者はユーザの個人情報に基づいて、ＣＭを選別し、ユーザが大容量記録媒体にＴＶ番組等のコンテンツを記録する場合に、選別されたＣＭが強制的に記録される大容量記録媒体供給方法であって、ユーザが記録されたＣＭを再生した場合は、その再生されたＣＭの量に応じた割引分の料金が、ＣＭ提供者から記録媒体供給者に支払われ、ユーザが記録媒体供給者から次に大容量記録媒体を購入するときに、割引分の料金に応じた料金が割引される大容量記録媒体供給方法である。
更にまた別の発明は、ユーザが記録媒体供給者から大容量記録媒体を購入する際、個人情報を提供し、その提供により記録媒体供給者はユーザに大容量記録媒体を割引きして販売するとともに、製品提供者にユーザの個人情報を提供し、製品提供者はユーザの個人情報に基づいて、製品カタログを選別し、ユーザが購入した大容量記録媒体に選別した製品カタログを記録し、ユーザが記録された製品カタログにより購入希望の製品を選択して製品提供者に注文する大容量記録媒体供給方法であって、ユーザが注文した製品の価格に応じた割引分の料金が、製品提供者から記録媒体供給者に支払われ、ユーザが記録媒体供給者から次に大容量記録媒体を購入するときに、割引分の料金に応じた料金が割引される大容量記録媒体供給方法である。
【００４４】
【発明の効果】
以上述べたところから明らかなように本発明は、記録容量の増大に対応できるように、大容量記録媒体を低価格で製品サイクルに合わせて供給可能であるという長所を有する。
【００４５】
また、コマーシャルを提供する側のビジネスチャンスを生かすことができるという利点がある。
【図面の簡単な説明】
【図１】本発明にかかる第１の実施の形態の大容量記録媒体供給方法におけるモデル図である。
【図２】本発明にかかる第２の実施の形態の大容量記録媒体供給方法におけるモデル図である。
【図３】本発明にかかる第３の実施の形態の大容量記録媒体供給方法におけるモデル図である。
【符号の説明】
１０１、２０１、３０１  ユーザ
１０２  コンテンツ配信局
１０３、２０３  ＣＭ提供メーカ
２０２  ＳＴＢメーカ
３０２  ＨＤＤメーカ
３０３  製品メーカ
【図１】
0004514891.tif 000002
【図２】
0004514891.tif 000003
【図３】
0004514891.tif 000004